(57)【要約】【課題】モータケースから突出したシャフトに偏心錘を取着した振動モータにおいてアンテナとしても実用的に利用できる振動モータの提供。【解決手段】振動モータは、導体のモータケース１が保持する導体の軸受２から突出した導体のシャフト３に取着した導体の偏心錘４と、モータケース１に固定して配線基板上の導電パターンに設置固着すべき導体の据え付け枠５と、シャフト３を中心にして偏心錘４を取り囲む円周面部２１を持つ導体の偏心錘掩蔽体２０とを備えて成る。【選択図】      図２
2010201306.tif 000002
【特許請求の範囲】
【請求項１】
導体のモータケースが保持する導体の軸受から突出した導体のシャフトに導体の偏心錘を取着した振動モータにおいて、前記モータケースに固定して配線基板上の導電パターンに設置固着すべき導体の据え付け枠と、前記シャフトを中心にして前記偏心錘を取り囲む周面部を持つ導体の偏心錘掩蔽体とを備えて成ることを特徴とする振動モータ。
【請求項２】
請求項１に記載の振動モータにおいて、前記偏心錘掩蔽体は前記周面部を前記偏心錘の円弧面に対し固定して成ることを特徴とする振動モータ。
【請求項３】
請求項２に記載の振動モータにおいて、前記偏心錘掩蔽体のトップ面に前記周面部を前記円弧面に寄せ付ける治具を挿入するための作業孔を設けてあることを特徴とする振動モータ。
【発明の詳細な説明】
【技術分野】
【０００１】
本発明は、携帯電話機等に内蔵される振動モータに関し、特に、アンテナとしても利用できる振動モータに関する。
【背景技術】
【０００２】
モータケースから突出したシャフトに偏心錘を取着した振動モータ（バイブ）をアンテナとしても利用する携帯無線機においては、振動モータのシャフト方向の全長をアンテナから放射される信号波長の８分の１以上とするために、偏心錘のトップ側に金属若しくは導体部分をバネ等で接続して全長を伸ばしたものが知られている。
【先行技術文献】
【特許文献】
【０００３】
【特許文献１】特開２００６−１３５７２１（図６）
【発明の概要】
【発明が解決しようとする課題】
【０００４】
しかしながら、金属若しくは導体部分が追加されるため、全体として偏心錘部分が大型化し、振動モータ自身の小型化の傾向では基板面上での実装面積を却って消費するので好ましくない。また、偏心錘部分もアンテナの一部として機能するため、偏心錘の回転停止位置の如何や回転中においてはアンテナ放射特性の指向が変化し、アンテナ機能を阻害するので、実用的には、偏心錘を持つ振動モータをアンテナとして利用することができなかった。
【０００５】
そこで上記問題点に鑑み、本発明の課題は、モータケースから突出したシャフトに偏心錘を取着した振動モータにおいてアンテナとしても実用的に利用できる振動モータを提供することにある。
【課題を解決するための手段】
【０００６】
本発明は、導体のモータケースが保持する導体の軸受から突出した導体のシャフトに導体の偏心錘を取着した振動モータにおいて、モータケースに固定して配線基板上の導電パターンに設置固着すべき導体の据え付け枠と、シャフトを中心にして偏心錘を取り囲む周面部を持つ導体の偏心錘掩蔽体とを備えて成ることを特徴とする。
【０００７】
配線基板上の導電パターンに送受信回路が接続されている場合、据え付け枠，モータケース及び偏心錘がアンテナとして機能するものとなるが、偏心錘の回転停止位置の如何や回転中においても、偏心錘掩蔽体の周面部がシャフトを中心にして偏心錘を取り囲んでいるため、アンテナ放射特性の指向は変化せず、アンテナ機能を阻害しなくなるので、偏心錘を持つ振動モータをアンテナとして実用化できる。
【０００８】
偏心錘掩蔽体をシャフトに固定する場合に比し、その周面部を偏心錘の円弧面に対し固定する方が容易である。
【０００９】
斯かる場合、偏心錘掩蔽体のトップ面に周面部を円弧面に寄せ付ける治具を挿入するための作業孔を設けてあるのが望ましい。
【００１０】
なお、モータケースと据え付け枠とが一体構成でも構わない。
【発明の効果】
【００１１】
本発明によれば、モータケースから突出したシャフトに偏心錘を取着した振動モータをアンテナとしても実用的に利用できる。
【図面の簡単な説明】
【００１２】
【図１】（Ａ）は本発明の実施例に係る振動モータを示す斜視図、（Ｂ）は同振動モータを別の角度から見た斜視図である。
【図２】（Ａ）は同振動モータの正面図、（Ｂ）は（Ａ）中のｂ−ｂ′線に沿って見た断面図である。
【図３】（Ａ）は同振動モータに用いる偏心錘掩蔽体を示す斜視図、（Ｂ）は同偏心錘掩蔽体の正面図、（Ｃ）は（Ｂ）中のｃ−ｃ′線に沿って見た断面図である。
【発明を実施するための形態】
【００１３】
次に、本発明の実施形態を添付図面に基づいて説明する。図１（Ａ）は本発明の実施例に係る振動モータを示す斜視図、図１（Ｂ）は同振動モータを別の角度から見た斜視図、図２（Ａ）は同振動モータの正面図、図２（Ｂ）は図２（Ａ）中のｂ−ｂ′線に沿って見た断面図、図３（Ａ）は同振動モータに用いる偏心錘掩蔽体を示す斜視図、図３（Ｂ）は同偏心錘掩蔽体の正面図、図３（Ｃ）は図３（Ｂ）中のｃ−ｃ′線に沿って見た断面図である。
【００１４】
本例の振動モータは、導体のモータケース１と、この一方のバーリング部１ａに保持された導体の軸受２と、この軸受２から突出した導体のシャフト３と、このシャフト３の突出部分にカシメなどで取着された断面扇形の導体の偏心錘４と、モータケース１に跨って固定され配線基板（図示せず）上の導電パターン（図示せず）に半田リフローで設置固着すべき導体の据え付け枠５とを備えている。また、このモータケース１の中には、図２（Ｂ）に示すように、その内周面に固定された永久磁石６と、シャフト３に固定されたコア７と、これに巻回されたコイル８と、シャフト３に固定された整流子９とを有し、ブラシ対（図示せず）を保持し中継端子１０ａ，１０ｂが貫通された樹脂製の端蓋（エンドブラケット）１０がモータケース１の開口に嵌っており、この端蓋１０の外面に添接された給電端子片１１ａ，１１ｂが中継端子１０ａ，１０ｂに半田付けで接続されている。
【００１５】
据え付け枠５は、前のめり防止用突起Ｖ，Ｖ及び半田溜まり凹所Ｗを持つ据え置き底面５ａと、モータケース１を跨って囲む囲繞部５ｂとを備えている。
【００１６】
本例の振動モータにおいては、シャフト３を中心にして偏心錘４を取り囲む円周面部２１を持つ導体の偏心錘掩蔽体２０を備えている。この偏心錘掩蔽体２０は円周面部２１を偏心錘４の円弧面４ａに対しスポット箇所Ｓ，Ｓでレーザー溶接して成る。偏心錘掩蔽体２０は偏心錘４の端面４ｂが当り止るトップ面２２を有し、このトップ面２２は円周面部２１を円弧面４ａに寄せ付ける押え治具（図示せず）を挿入するための扇形作業孔Ｈを有する。なお、偏心錘掩蔽体２０のトップ面２２とは反対側は偏心錘４に被せるために開口している。
【００１７】
配線基板上の導電パターンに送受信回路（図示せず）が接続されている場合、据え付け枠５，モータケース１及び偏心錘４が導通して振動モータの全長がアンテナとして機能するものとなるが、偏心錘４の回転停止位置の如何や回転中においても、偏心錘掩蔽体２０の円周面部２１がシャフト３を中心にして偏心錘４を取り囲んでいるため、アンテナ放射特性の指向は変化せず、アンテナ機能を阻害しなくなるので、偏心錘４を持つ振動モータをアンテナとして実用化できる。
【００１８】
また、偏心錘掩蔽体２０をシャフト３に固定する場合に比し、その円周面部２１を偏心錘４の円弧面４ａに対し固定する方が容易である。そして、偏心錘掩蔽体２０のトップ面２２に円周面部２１を円弧面４ａに寄せ付ける押え治具を挿入するための作業孔Ｈを設けてあるので、この押え治具により回動し易い偏心錘４を一時固定でき、レーザー溶接により円周面部２１と円弧面４ａとの固定を確実に実現できる。
【符号の説明】
【００１９】
１…モータケース
１ａ…バーリング部
２…軸受
３…シャフト
４…偏心錘
４ａ…円弧面
４ｂ…端面
５…据え付け枠
５ａ…据え置き底面
５ｂ…囲繞部
６…永久磁石
７…コア
８…コイル
９…整流子
１０…端蓋
１０ａ，１０ｂ…中継端子
１１ａ，１１ｂ…給電端子片
２０…偏心錘掩蔽体
２１…円周面部
２２…トップ面
Ｈ…扇形作業孔
Ｓ…スポット箇所
Ｖ…前のめり防止用突起
Ｗ…半田溜まり凹所
【図１】
2010201306.tif 000003
【図２】
2010201306.tif 000004
【図３】
2010201306.tif 000005